(57)【要約】【課題】排せつ物を受け入れるように構成された吸収パッドを提供すること。【解決手段】吸収パッドは、基部層およびひもを含む。基部層は、周囲縁によって取り囲まれた収集領域を有する。ひもは、複数の場所において周囲縁に摺動可能に取り付けられる。基部層は、開位置から閉位置に移動するように構成される。基部層は、ほぼ平坦になるように構成され、それにより、ひもは、基部層が開位置にあるとき、周囲縁に沿って配設される。基部層は、ひもを複数の場所に対して摺動させることによって開位置から閉位置に移動し、それによって周囲縁は、複数の場所において引き寄せられて包みを形成し、ひもは、複数の場所に対応する周囲縁に沿ってのみ配設される。【選択図】図１
2014100143.tif 000002
【特許請求の範囲】
【請求項１】
排せつ物を受け入れるように構成された吸収パッドであって、
周囲縁によって取り囲まれた収集領域を含む基部層と、
複数の場所において前記基部層の前記周囲縁に摺動可能に取り付けられたひもとを備え、
前記基部層は、開位置から閉位置に移動するように構成され、
前記基部層は、前記基部層が前記開位置にあるとき、ほぼ平坦になるように構成され、それにより、前記ひもは前記周囲縁に沿って配設され、
前記基部層は、前記ひもを前記複数の場所に対して摺動させることによって前記開位置から前記閉位置に移動するように構成され、それによって前記周囲縁は、前記複数の場所において引き寄せられて包みを形成し、それにより、前記ひもは、前記複数の場所の各々に対応する前記周囲縁に沿ってのみ配設される、吸収パッド。
【請求項２】
前記複数の場所は、第１の場所、第２の場所、第３の場所、および第４の場所を含み、
前記ひもは、さらに、第１の場所、第２の場所、第３の場所、および第４の場所において前記基部層の前記周囲縁に摺動可能に取り付けられるように定められ、
前記基部層は、前記ひもを前記第１の場所、前記第２の場所、前記第３の場所、および前記第４の場所に対して摺動させることによって前記開位置から前記閉位置に移動するように構成され、それによって前記周囲縁は、前記第１の場所、前記第２の場所、前記第３の場所、および前記第４の場所において引き寄せられ、それにより、前記ひもは、前記第１の場所、前記第２の場所、前記第３の場所、および前記第４の場所に対応する前記周囲縁に沿ってのみ配設される、請求項１に記載の吸収パッド。
【請求項３】
前記ひもは輪として形成される、請求項２に記載の吸収パッド。
【請求項４】
前記基部層は矩形の形状を有する、請求項２に記載の吸収パッド。
【請求項５】
前記基部層は、第１の角部、第２の角部、第３の角部、および第４の角部を有し、
前記第１の場所は前記第１の角部にあり、前記第２の場所は前記第２の角部にあり、前記第３の場所は前記第３の角部にあり、前記第４の場所は前記第４の角部にある、請求項４に記載の吸収パッド。
【請求項６】
前記周囲縁の形状に対応するリング層をさらに備え、
前記リング層は、前記基部層が前記開位置にあるとき、前記ひもが前記リング層と前記第１の層の間に配設されるように構成され、
前記リング層は、前記基部層が前記閉位置にあるとき、前記第１場所、前記第２場所、前記第３場所、および前記第４の場所において前記周囲縁に摺動可能に取り付けられない前記ひもの部分が、前記リング層と前記第１の層の間に配設されないように構成される、請求項５に記載の吸収パッド。
【請求項７】
前記リング層は、前記収集領域を取り囲む内縁と、前記内縁を取り囲む外縁とを有し、
前記リング層は、前記内縁において前記基部層に動作可能に取り付けられ、それにより、前記基部層が前記閉位置にあるとき、前記第１の場所、前記第２の場所、前記第３の場所、および前記第４の場所において前記周囲縁に摺動可能に取り付けられない前記ひもの部分は、前記リング層と前記第１の層の間に配設されない、請求項６に記載の吸収パッド。
【請求項８】
前記第１の角部、前記第２の角部、前記第３の角部、および前記第４の角部の各々において拘束具をさらに備え、
前記ひもは、前記拘束具の各々と前記リング層の前記内縁の間に摺動可能に配設され、それにより、前記基部層が閉位置にあるとき、前記拘束具の各々と前記内縁の間に摺動可能に配設されない前記ひもの部分は、前記リング層と前記第１の層の間に配設されない、請求項７に記載の吸収パッド。
【請求項９】
前記リング層は、前記内縁と前記外縁の間に少なくとも１つの開口部を画定して、前記ひもを握るためのアクセスを提供する、請求項８に記載の吸収パッド。
【請求項１０】
前記リング層は、前記第１の角部、前記第２の角部、前記第３の角部、および前記第４の角部の各々において開口部を画定する、請求項９に記載の吸収パッド。
【請求項１１】
前記基部層は、吸収性材料から形成された第１の層を含む、請求項６に記載の吸収パッド。
【請求項１２】
前記基部層は、流体不浸透性材料から形成された第２の層を含み、それにより、前記第１の層は、前記リング層と前記第２の層の間に配設される、請求項１１に記載の吸収パッド。
【請求項１３】
排せつ物を受け入れるように構成された吸収パッドであって、
周囲縁によって取り囲まれた収集領域を含む基部層であって、
前記周囲縁が複数の場所の各々において通路を画定する、基部層と、
前記通路の各々を通って摺動可能に延びるひもとを備え、
前記基部層は、開位置から閉位置に移動するように構成され、
前記基部層は、前記基部層が前記開位置にあるとき、ほぼ平坦になるように構成され、それにより、前記ひもは前記周囲縁に沿って配設され、
前記基部層は、前記ひもを前記通路を通って摺動させることによって前記開位置から前記閉位置に移動するように構成され、それによって前記周囲縁は、前記複数の場所の各々において引き寄せられて包みを形成し、それにより、前記ひもは、前記複数の場所の各々に対応する前記周囲縁に沿ってのみ配設される、吸収パッド。
【請求項１４】
前記複数の場所は、第１の場所、第２の場所、第３の場所、および第４の場所を含み、
前記ひもは、さらに、前記第１の場所、前記第２の場所、前記第３の場所、および前記第４の場所において前記基部層の前記周囲縁に摺動可能に取り付けられるように定められ、
前記基部層は、前記ひもを前記第１の場所、前記第２の場所、前記第３の場所、および前記第４の場所に対して摺動させることによって前記開位置から前記閉位置に移動するように構成され、それによって前記周囲縁は、前記第１の場所、前記第２の場所、前記第３の場所、および前記第４の場所において引き寄せられ、それにより、前記ひもは、前記第１の場所、前記第２の場所、前記第３の場所、および前記第４の場所に対応する前記周囲縁に沿ってのみ配設される、請求項１３に記載の吸収パッド。
【請求項１５】
前記周囲縁は、さらに、前記第１の場所、前記第２の場所、前記第３の場所、および前記第４の場所の各々において通路を画定するように定められ、
前記ひもは、さらに、前記通路の各々を通って摺動可能に延びるように定められ、
前記基部層は、前記ひもを前記通路を通って摺動させることによって前記開位置から前記閉位置に移動するように構成され、それによって前記周囲縁は、前記第１の場所、前記第２の場所、前記第３の場所、および前記第４の場所において引き寄せられ、それにより、前記ひもは、前記第１の場所、前記第２の場所、前記第３の場所、および前記第４の場所に対応する前記周囲縁に沿ってのみ配設される、請求項１４に記載の吸収パッド。
【請求項１６】
各々の通路を覆う蓋部をさらに備える、請求項１３に記載の吸収パッド。
【請求項１７】
前記ひもは輪として形成される、請求項１３に記載の吸収パッド。
【請求項１８】
排せつ物を受け入れるように構成された吸収パッドであって、
周囲縁によって取り囲まれた収集領域を含む基部層であって、
前記周囲縁は、第１の場所、第２の場所、第３の場所、および第４の場所の各々において通路を画定する、基部層と、
前記周囲縁の形状に対応するリング層と、
前記通路の各々を通って摺動可能に延びるひもとを備え、
前記基部層は、開位置から閉位置に移動するように構成され、
前記基部層は、前記基部層が前記開位置にあるとき、ほぼ平坦になるように構成され、それにより、前記ひもは、前記周囲縁に沿って前記リング層と前記基部層の間に配設され、
前記基部層は、前記ひもを前記通路の各々内で摺動させることによって前記開位置から前記閉位置に移動するように構成され、それによって前記周囲縁は、前記第１の場所、前記第２の場所、前記第３の場所、および前記第４の場所において引き寄せられて包みを形成し、それにより、前記ひもは、前記第１の場所、前記第２の場所、前記第３の場所、および前記第４の場所に対応する、前記リング層と前記基部層の間の前記周囲縁に沿ってのみ配設される、吸収パッド。
【請求項１９】
前記リング層は、前記第１の場所、前記第２の場所、前記第３の場所、および前記第４の場所の各々において開口部を画定して、前記ひもを握るためのアクセスを提供する、請求項１７に記載の吸収パッド。
【発明の詳細な説明】
【技術分野】
【０００１】
関連出願の相互参照
[0001]本出願は、参照によってその全体が本明細書に組み込まれる、２０１２年１１月２１日出願の米国特許仮出願第６１／７２８，８５０号の利益を主張するものである。
【０００２】
[0002]本開示は、排せつ物を吸収するように構成された吸収パッドに関する。
【背景技術】
【０００３】
[0003]多くの人々がペットを飼うことを楽しんでいる。残念なことに、ペットは頻繁に排尿および排便を行う必要があり、それによって誰かが片づけなければならない汚物を生み出す。ペットは、しばしば、新聞紙などの与えられた表面上でその生体機能を実行するように訓練される。残念なことに、それでも誰かが汚れた新聞紙または他の表面を捨てなければならない。これは、濡れたときに多くの表面が崩壊するため、捨てることが困難になり得る。さらに、新聞紙または他の表面が正しく持ち上げられない場合、尿または糞便が床上に落下する恐れがある。これらの表面の角部または縁は、しばしば尿または糞便で覆われ、そのため、汚物を捨てる責任者が表面の汚れた部分に接触しなければならないことは避けられない。
【発明の概要】
【課題を解決するための手段】
【０００４】
[0004]本開示の１つの態様では、吸収パッドは、排せつ物を受け入れるように構成される。吸収パッドは、基部層およびひもを含む。基部層は、周囲縁によって取り囲まれた収集領域を含む。ひもは、複数の場所において基部層の周囲縁に摺動可能に取り付けられる。基部層は、開位置から閉位置に移動するように構成される。基部層が開位置にあるとき、基部層はほぼ平坦になるように構成され、それにより、ひもは周囲縁に沿って配設される。基部層は、複数の場所に対してひもを摺動させることによって開位置から閉位置に移動するように構成され、それによって周囲縁は、第１の場所および第２の場所が引き寄せられて包みを形成し、それにより、ひもは、その複数の場所の各々に対応する周囲縁に沿ってのみ配設される。
【０００５】
[0005]本開示の別の態様では、吸収パッドは、基部層およびひもを含む。基部層は、周囲縁によって取り囲まれた収集領域を含む。周囲縁は、複数の場所の各々において通路を画定する。ひもは、通路の各々を通って摺動可能に延びる。基部層は、開位置から閉位置に移動するように構成される。基部層が開位置にあるとき、基部層はほぼ平坦になるように構成され、それにより、ひもは周囲縁に沿って配設される。基部層は、ひもを通路を通って摺動させることによって開位置から閉位置に移動するように構成され、それによって周囲縁は、複数の場所の各々が引き寄せられて包みを形成し、それにより、ひもは、複数の場所の各々に対応する周囲縁に沿ってのみ配設される。
【０００６】
[0006]本開示のさらに別の態様では、吸収パッドは、基部層と、リング層と、ひもとを含む。基部層は、周囲縁によって取り囲まれた収集領域を含む。周囲縁は、第１の場所、第２の場所、第３の場所、および第４の場所の各々において通路を画定する。リング層は周囲縁の形状に対応する。ひもは、通路の各々を通って摺動可能に延びる。基部層は、開位置から閉位置に移動するように構成される。基部層が開位置にあるとき、基部層はほぼ平坦になるように構成され、それにより、ひもは、周囲縁に沿ってリング層と基部層の間に配設される。基部層は、ひもを通路を通って摺動させることによって開位置から閉位置に移動するように構成され、それによって周囲縁は、第１の場所、第２の場所、第３の場所、および第４の場所が引き寄せられて包みを形成し、それにより、ひもは、第１の場所、第２の場所、第３の場所、および第４の場所に対応する、リング層と基部層の間の周囲縁に沿ってのみ配設される。
【０００７】
[0007]吸収パッドはひもを備えた周囲縁を有し、このひもは、周囲縁に沿って複数の場所において吸収パッドに摺動可能に取り付けられる。吸収パッドは、ペットがその排せつ物を堆積する場所を提供するように構成される。ペットがその排せつ物を堆積した後、場所の１つにあるひもを握ることによって吸収パッドを持ち上げることができ、それにより、これらの場所は引き寄せられて排せつ物を中に保持する包みを形成する。
【０００８】
[0008]本発明の上記の特徴および利点、ならびに他の特徴および利点は、添付の図を併用して、付属の特許請求の範囲において規定された、本発明を実施するための最良の形態および他の実施形態のいくつかの以下の詳細な説明から容易に明白になる。
【図面の簡単な説明】
【０００９】
【図１】[0009]開位置にある吸収パッドの概略上部斜視図である。
【図２】[0010]線２−２に沿って切り取られた、図１の吸収パッドの概略側部断面図である。
【図３】[0011]図１で提供された、領域「領域３」の拡大図である。
【図４】[0012]図１で提供された、領域「領域４」の拡大図である。
【図５】[0013]線５−５に沿って切り取られた、図１の吸収パッドの概略側部断面図である。
【図６】[0014]吸収パッドが部分的に閉位置にある状態の、図１の吸収パッドの概略上部斜視図である。
【図７】[0015]閉位置にある吸収パッドの概略上部斜視図である。
【発明を実施するための形態】
【００１０】
[0016]複数の図を通して同じ番号が同じ部分を示す図を参照すれば、排せつ物２２を受け入れるように構成された吸収パッド２０が、図１に示される。吸収パッド２０は、基部層２４およびひも２６を含む。基部層２４は、収集領域２８と、収集領域２８を取り囲む周囲縁３０とを含む。吸収パッド２０は、床などの表面上に置かれるように構成されて、ペットが排せつ物２２を堆積する場所を提供する。より詳細には、収集領域２８は、排せつ物２２がその上に堆積されるように構成される。以下でより詳細に説明されるように、ユーザは、１本の指だけを用いて汚れた吸収パッド２０を持ち上げることができ得る。
【００１１】
[0017]基部層２４は、第１の層３２、第２の層３４、およびリング層３６を含む。第１の層３２は、吸収性材料から形成され得る。吸収性材料は、布、セルロース、ゲルなどを含むことができる。布は、綿、モスリン、テリー織りタオル、ポリマーなどを含むことができる。ゲルはシリカゲルなどになり得る。吸収性材料は、尿および他の望ましくない物質を吸収するように構成される。吸収パッド２０は、尿、糞便、おう吐物などの排せつ物２２を、人が排せつ物２２に接触する必要なく持ち上げて捨てることを可能にする。
【００１２】
[0018]第２の層３４は、流体不浸透性材料から形成され得る。より詳細には、第２の層３４は、いかなる液体も吸収パッド２０から漏出することを防止する、ポリエチレン、ポリマー、布様薄膜などから形成され得る。第１の層３２は、接着剤、ヒートシール、締結具などを用いて第２の層３４に固定され得る。
【００１３】
[0019]基部層２４は、図１に示されるような開位置３８と、図７に示されるような閉位置４０との間を移動するように構成される。次に図１を参照すれば、基部層２４は、開位置３８にあるときはほぼ平坦である。同様に、図７を参照すれば、基部層２４が閉位置４０にあるとき、基部層２４は包みを形成し、それにより、周囲縁３０は引き寄せられるようになる。したがって、吸収パッド２０が閉位置４０にあるとき、ユーザがひも２６を握り引っ張ることによって、吸収パッド２０が流体および汚れた排せつ物２２を保持するための容器を形成するように、排せつ物２２が、包み込まれた基部層２４の範囲によって封じ込まれる。
【００１４】
[0020]ひも２６は、綿、ポリエステル、ナイロンなどから形成され得る。ひも２６は、薄く平坦な断面、円形断面などを有するように形成され得る。図１、図２、および図６を参照すれば、ひも２６は、第１の場所４２、第２の場所４４、第３の場所４６、および第４の場所４８において基部層２４の周囲縁３０に摺動可能に取り付けられる。ひも２６は、連続輪として形成され得る。したがって、ひも２６は第１の場所４２、第２の場所４４、第３の場所４６、および第４の場所４８の各々において基部層２４に摺動可能に取り付けられるが、ひも２６は基部層２４から取り外すことはできない。図１および図５を参照すれば、ひも２６は、基部層２４が開位置３８にあるとき、周囲縁３０全体に沿って配設される。しかし、以下でより詳細に説明されるように、図６および図７を参照すれば、ひも２６は、基部層２４が閉位置４０にあるとき、それぞれの場所４２、４４、４６、４８において周囲縁３０に沿ってのみ配設される。
【００１５】
[0021]再度図１を参照すれば、基部層２４は、第１の角部５０、第２の角部５２、第３の角部５４、および第４の角部５６を有する矩形の形状を有することができる。第１の場所４２は第１の角部５０にあり、第２の場所４４は第２の角部５２にあり、第３の場所４６は第３の角部５４にあり、第４の場所４８は第４の角部５６にある。場所４２、４４、４６、４８はまた、基部２４の周囲縁３０を取り囲む他の場所４２、４４、４６、４８に配設されてもよいことを理解されたい。また、基部層２４は任意の他の形状でよいことも理解されたい。
【００１６】
[0022]吸収パッド２０はまた、周囲縁３０の形状に対応するリング層３６を含むこともできる。したがって、基部層２４が矩形の形状である場合、リング層３６もまた矩形の形状になり、その結果、対応する周囲縁３０の矩形の形状に合致するようになる。したがって、リング層３６は収集領域２８の周囲を取り囲む。
【００１７】
[0023]リング層３６は、ポリエチレン、布様薄膜などの流体不浸透性材料から形成され得る。リング層３６は、いかなる液体もそこを通って漏出することを防止するように構成される。リング層３６は、基部層２４が図１に示されるような開位置３８にあるとき、ひも２６がリング層３６と第１の層３２の間に配設されるように構成される。したがって、リング層３６は、吸収パッド２０が開位置３８にあるとき、ひも２６が汚れることから保護する。リング層３６は、ペットがリング層３６およびひも２６の対応する部分を横切るときにひも２６がペットに絡まることを防止することができる。
【００１８】
[0024]リング層３６は、収集領域を取り囲む内縁５８と、内縁５８を取り囲む外縁６０とを有する。リング層３６は、内縁５８において基部層２４に動作可能に取り付けられ、外縁６０においては基部層２４に取り付けられない。したがって、前掛け部８４が、リング層３６と基部層２４の間に形成され、ひも２６は、吸収パッド２０が図１に示されるような開位置３８にあるとき、前掛け部８４の下方に動作可能に配設される。ひも２６は、第１の場所４２、第２の場所４４、第３の場所４６、および第４の場所４８の各々においてのみ基部層２４に摺動可能に取り付けられるため、ひも２６が、場所４２、４４、４６、４８の１つにおいて（図６および７の矢印８６によって示されるように）基部層２４に対して引っ張られたとき、ひも２６は場所４２、４４、４６、４８の各々に対して摺動しながら、隣接する場所４２、４４、４６、４８の各々間の前掛け部８４の下から出ていく。このため、４つの角部５０、５２、５４、５６を引き寄せることが可能になり、その間吸収パッド２０は、（図１に示されるような）開位置３８から、部分的な（図６に示されるような）閉位置３９を経て（図７に示されるような）閉位置４０へと移動する。
【００１９】
[0025]吸収パッド２０はまた、第１の角部５０、第２の角部５２、第３の角部５４、および第４の角部５６の各々において拘束具６２を含むこともできる。したがって、通路８２は、各々の場所４２、４４、４６、４８において拘束具６２の各々と内縁５８の間に画定される。ひも２６は、リング層３６の内縁５８と各々それぞれの拘束具６２の間に画定された通路８２内に摺動可能に配設され、それにより、ひも２６は各々の場所４２、４４、４６、４８において基部層２４に摺動可能に保持される。したがって、ひも２６は連続輪として形成されるため、拘束具６２は、ひも２６を吸収パッド２０に保持された状態で保つことを可能にしながら、ひも２６を場所４２、４４、４６、４８のいかなる場所でも基部層２４に対して引っ張ることを可能にする。
【００２０】
[0026]リング層３６はまた、内縁５８と外縁６０の間に少なくとも１つの開口部７０を画定することもできる。より詳細には、図１、図３、および図４を参照すると、リング層３６は、第１の角部５０、第２の角部５２、第３の角部５４、および第４の角部５６の各々において開口部を画定する。開口部７０は、ひも２６を握るためのアクセスを提供する。さらに、開口部７０は、リング層３６が蓋部８０を提供するように各々構成されてよく、この蓋部は、ユーザが吸収パッド２０を取り上げ、捨てる状態になるまでひも２６を覆うように構成される。したがって、リング層３６の蓋部８０は、ひも２６が場所４２、４４、４６、４８の各々において汚れないように保護を提供する。場所４２、４４、４６、４８の各々に蓋部８０が存在するため、ユーザは汚れの最も少ないタブを持ち上げ、それによってタブの下のひも２６の対応する部分にアクセスすることができる。ユーザは、タブの下のひも２６を握り、ひも２６を基部層２４に対して、図１、図４、図６、および図７に示すように、吸収パッド２０が閉位置４０になるように包み込まれるまで引っ張ることができる。吸収パッド２０が閉位置４０になった後、吸収パッド２０は、排せつ物２２容器として捨てられ得る。
【００２１】
[0027]本開示を実施するための最良の形態が詳細に説明されてきたが、本開示に関連する当技術分野の精通者は、付属の特許請求の範囲内で本開示を実施するためのさまざまな代替の設計および実施形態を理解するであろう。
【図１】
2014100143.tif 000003
【図２】
2014100143.tif 000004
【図３】
2014100143.tif 000005
【図４】
2014100143.tif 000006
【図５】
2014100143.tif 000007
【図６】
2014100143.tif 000008
【図７】
2014100143.tif 000009
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
排せつ物を受け入れるように構成された吸収パッドであって、
周囲縁によって取り囲まれた収集領域を含む基部層と、
複数の場所において前記基部層の前記周囲縁に摺動可能に取り付けられたひもとを備え、
前記基部層は、開位置から閉位置に移動するように構成され、
前記基部層は、前記基部層が前記開位置にあるとき、ほぼ平坦になるように構成され、それにより、前記ひもは前記周囲縁に沿って配設され、
前記基部層は、前記ひもを前記複数の場所に対して摺動させることによって前記開位置から前記閉位置に移動するように構成され、それによって前記周囲縁は、前記複数の場所において引き寄せられて包みを形成し、それにより、前記ひもは、前記複数の場所の各々に対応する前記周囲縁に沿ってのみ配設される、吸収パッド。
【請求項２】
前記複数の場所は、第１の場所、第２の場所、第３の場所、および第４の場所を含み、
前記ひもは、さらに、第１の場所、第２の場所、第３の場所、および第４の場所において前記基部層の前記周囲縁に摺動可能に取り付けられるように定められ、
前記基部層は、前記ひもを前記第１の場所、前記第２の場所、前記第３の場所、および前記第４の場所に対して摺動させることによって前記開位置から前記閉位置に移動するように構成され、それによって前記周囲縁は、前記第１の場所、前記第２の場所、前記第３の場所、および前記第４の場所において引き寄せられ、それにより、前記ひもは、前記第１の場所、前記第２の場所、前記第３の場所、および前記第４の場所に対応する前記周囲縁に沿ってのみ配設される、請求項１に記載の吸収パッド。
【請求項３】
前記ひもは輪として形成される、請求項２に記載の吸収パッド。
【請求項４】
前記基部層は矩形の形状を有する、請求項２に記載の吸収パッド。
【請求項５】
前記基部層は、第１の角部、第２の角部、第３の角部、および第４の角部を有し、
前記第１の場所は前記第１の角部にあり、前記第２の場所は前記第２の角部にあり、前記第３の場所は前記第３の角部にあり、前記第４の場所は前記第４の角部にある、請求項４に記載の吸収パッド。
【請求項６】
前記周囲縁の形状に対応するリング層をさらに備え、
前記リング層は、前記基部層が前記開位置にあるとき、前記ひもが前記リング層と前記第１の層の間に配設されるように構成され、
前記リング層は、前記基部層が前記閉位置にあるとき、前記第１場所、前記第２場所、前記第３場所、および前記第４の場所において前記周囲縁に摺動可能に取り付けられない前記ひもの部分が、前記リング層と前記第１の層の間に配設されないように構成される、請求項５に記載の吸収パッド。
【請求項７】
前記リング層は、前記収集領域を取り囲む内縁と、前記内縁を取り囲む外縁とを有し、
前記リング層は、前記内縁において前記基部層に動作可能に取り付けられ、それにより、前記基部層が前記閉位置にあるとき、前記第１の場所、前記第２の場所、前記第３の場所、および前記第４の場所において前記周囲縁に摺動可能に取り付けられない前記ひもの部分は、前記リング層と前記第１の層の間に配設されない、請求項６に記載の吸収パッド。
【請求項８】
前記第１の角部、前記第２の角部、前記第３の角部、および前記第４の角部の各々において拘束具をさらに備え、
前記ひもは、前記拘束具の各々と前記リング層の前記内縁の間に摺動可能に配設され、それにより、前記基部層が閉位置にあるとき、前記拘束具の各々と前記内縁の間に摺動可能に配設されない前記ひもの部分は、前記リング層と前記第１の層の間に配設されない、請求項７に記載の吸収パッド。
【請求項９】
前記リング層は、前記内縁と前記外縁の間に少なくとも１つの開口部を画定して、前記ひもを握るためのアクセスを提供する、請求項８に記載の吸収パッド。
【請求項１０】
前記リング層は、前記第１の角部、前記第２の角部、前記第３の角部、および前記第４の角部の各々において開口部を画定する、請求項９に記載の吸収パッド。
【請求項１１】
前記基部層は、吸収性材料から形成された第１の層を含む、請求項６に記載の吸収パッド。
【請求項１２】
前記基部層は、流体不浸透性材料から形成された第２の層を含み、それにより、前記第１の層は、前記リング層と前記第２の層の間に配設される、請求項１１に記載の吸収パッド。
【外国語明細書】
2014100143000001.pdf